(57)【要約】【課題】  静止画像の表示角度を自動的に変更することが可能な装置を得る。【解決手段】  メモリカード１０２に書き込まれた画像を表示部１０６で表示させた際に、構図が不適切な状態で表示された画像の表示角度を、画像角度設定部１０８によって変更し、その画像データを変更した角度情報と共にメモリカード１０２に上書きするか、または、その画像の属性データと対でメモリに書き込む。以降その画像データを表示させる際には、角度情報に基づいて表示角度を自動的に切換えるように構成した。【選択図】  図１
2005241987.tif 000002
【特許請求の範囲】
【請求項１】
静止画像データが書き込まれた記憶媒体から当該画像データを読み出す手段と、
この読み出された画像データを、画像として表示するための映像信号に変換する信号処理手段と、
この処理手段で生成された映像信号に基づく画像を表示する表示手段と、
前記信号処理手段を制御して前記表示手段で表示されている画像の表示角度を変更する表示制御手段と、
前記変更された表示角度を示す角度情報を前記画像データに付加して前記記憶媒体に書き込む書き込み手段と、
前記記憶媒体から読み出された画像データに前記角度情報が付加されていた際に、当該画像データに基づく画像の前記表示手段での表示角度を前記角度情報に基づき変更する制御手段と、
を具備したことを特徴とする静止画像表示装置。
【請求項２】
静止画像データが書き込まれた第1の記憶媒体から当該画像データを読み出す手段と、
この読み出された画像データを、画像として表示するための映像信号に変換する信号処理手段と、
この処理手段で生成された映像信号を表示する表示手段と、
前記信号処理手段を制御して前記表示手段で表示されている画像の表示角度を変更する表示制御手段と、
前記変更された表示角度を示す角度情報を当該表示角度を変更した画像を特定する情報と対で前記記憶媒体とは異なる第２の記憶媒体に記憶する手段と、
前記第２の記憶媒体に記憶されている情報を探知し、前記第1の記憶媒体から読み出された画像データに対応する前記角度情報が前記第２の記憶媒体に記憶されている際に、当該画像データの前記表示手段での表示角度を前記角度情報に基づき変更する制御手段と、
を具備したことを特徴とする静止画像表示装置。
【請求項３】
静止画像データが書き込まれた記憶媒体から当該画像データを読み出すステップと、
この読み出された画像データを、画像として表示するための映像信号に変換するステップと、
前記生成された映像信号を表示するステップと、
前記表示されている画像の表示角度を変更するステップと、
前記変更された表示角度を示す角度情報を取得するステップと、
取得した角度情報を前記画像データに付加して記憶媒体に書き込むステップと、
前記記憶媒体から読み出された画像データに前記角度情報が付加されているか否か判定し、付加されている際に、当該画像データの表示角度を前記角度情報に基づき変更するステップと、
を具備したことを特徴とする静止画像表示方法。
【請求項４】
静止画像データが書き込まれた記憶媒体から当該画像データを読み出すステップと、
この読み出された画像データを、画像として表示するための映像信号に変換するステップと、
この生成された映像信号を表示するステップと、
表示されている画像の表示角度を変更するステップと、
前記変更された表示角度を示す角度情報を取得するステップと、
取得した角度情報を当該表示角度を変更した画像を特定する情報と対で前記記憶媒体とは異なる記憶媒体に記憶するステップと、
前記記憶媒体に記憶されている画像データを読み出して表示させる際に、前記記憶媒体に記憶されている情報を探知し、前記読み出された画像データに対応する前記角度情報が探知された際に、当該画像データの表示角度を前記角度情報に基づき変更するステップと、
を具備したことを特徴とする静止画像表示方法。
【発明の詳細な説明】
【技術分野】
【０００１】
本発明は、例えばデジタルスチルカメラで撮影した静止画像を表示手段で表示させるための表示装置に関し、特に、静止画像の構図を自動的に変更して表示することを可能にした静止画像表示装置及び静止画像表示方法に関する。
【背景技術】
【０００２】
一般に、スチルカメラにおいては、撮影した画像が長方形となるように構成されており、カメラを普通に構えて撮影した場合、横が長く縦が短い構図で撮影されることになる。このため、撮影者は、撮影しようとする対象に応じて、カメラを横にして撮影するか、あるいは縦に構えて撮影するように使い分けている。例えば、多数の人物が横に並んだような被写体を撮影する場合にはカメラを横に構えて撮影し、縦に長い塔等の建造物を含む風景を撮影する場合にはカメラを縦にして撮影する。
【０００３】
デジタルスチルカメラにおいても同じような撮影手法が採られるものであり、そのようにして撮影された画像データは、例えばフラッシュメモリ等のメモリカードに書き込まれて保存されるが、その際、カメラを横にして撮影したか、縦にして撮影したかということに関わりなく、一様に横長の構図の画像として保存される。したがって、カメラを縦にして撮影した場合には、被写体の垂直方向が横になった状態で保存される。
【０００４】
図１０は、一般的なデジタルスチルカメラの構成を概略的に示す回路ブロック図である。  
図において、撮像素子と駆動部を含む撮像部１００１で撮像され、点順次、あるいは線順次信号として出力される映像信号は、信号処理部１００２において、フレームメモリ１００３を用いて静止画像として構築されると共に、表示部１００４に導出されてその画像がモニタされる。
【０００５】
また、信号処理部１００２で構築された静止画像は、画像圧縮／伸張部１００５で所定の手順で圧縮されて、書き込み／読み出し部１００６を介して、カードホルダ１００７に装着されているメモリカード１００８に書き込まれる。
【０００６】
また、メモリカード１００８に書き込まれた画像信号は、書き込み／読み出し部１００６で読み出されて、画像圧縮伸張部１００５で伸張されて信号処理部１００２で静止画像として構築され、表示部１００４で表示させることが可能である。
【０００７】
図１１は、カメラの構え方と、撮像される画像及び、実際にメモリカード１００８に書き込まれる画像を説明するための構成図である。図１１（ａ）はカメラ１１０１を普通に横に構えた横構図で撮影する場合であり、撮像素子１１０２に結像された映像Ａ１１０３に対して、撮像素子１１０２の走査方向は左から右への横方向であるため、メモリカード１００８には撮像された構図と同じ画像１００４が保存される。
【０００８】
一方、図１１（ｂ）は、カメラ１１０１を縦にして構えた縦構図で撮像した場合であり、撮像素子１１０２も縦になり、結像された像Ａ１１０３に対して、撮像素子の走査方向は、上から下への垂直方向となって、メモリカード１００８には、９０度左に回転された像１００５として保存される。
【０００９】
メモリカードに保存された画像を見る場合、デジタルスチルカメラ本体に設けられた表示手段で表示させるか、あるいはより大きな画像として見たい場合には、例えばテレビジョン受像機の表示手段を利用した表示装置を用いて表示するか、あるいは印刷することになる。
【００１０】
画像表示装置によってメモリカードに保存されている画像を映出する場合、メモリカードに保存されている画像を一枚ずつ読み出して表示させるか、あるいは何枚かの画像を纏めて同じ画面に表示させ、その中から表示させたい画像を選択するという操作手順となる。
【００１１】
いずれにしろ、メモリカードから読み出される画像は、横長の構図の状態で表示されるため、カメラを縦にして撮影した画像は横に寝た状態で表示され、ユーザにとってはとても見にくい画像となる。
【００１２】
従来、デジタルスチルカメラで撮影した際に、カメラが傾いていた場合、その傾きを計測し、傾きを示すデータを撮影した画像と共に記憶させておいて、その画像を表示する際に、傾きデータを読み出して、表示された画像の傾きを自動的に修正するという提案が、例えば特許文献１になされている。
【００１３】
この提案の場合、横構図と縦構図の違いを９０度の傾きとして捉えれば、表示される画像が横に寝てしまうということを解消することができるが、カメラに傾き検出機能を組み込む必要があり、一般のデジタルスチルカメラで実現することはできない。
【特許文献１】特開２００３−３２５９７号公報（第４頁、図１）
【発明の開示】
【発明が解決しようとする課題】
【００１４】
以上のように、従来、デジタルスチルカメラにおいて、縦構図で撮影した画像を表示する際に、画像が横に寝てしまい、ユーザにとって見苦しい画像となっていた。
【００１５】
本発明は、以上の点に鑑みてなされたものであり、表示された静止画像が、横になってしまっていた場合、これを９０度回転させて表示する手段と、表示の際に９０度回転させたという情報を、当該画像データに関連付けでメモリカードあるいは画像再生装置に保存し、以後、その画像を表示させる際に、その情報に基づいて画像を自動的に回転させて表示するように構成した静止画像表示装置及び静止画像表示方法を提供することを目的とする。
【課題を解決するための手段】
【００１６】
本発明の静止画像表示装置は、静止画像データが書き込まれた記憶媒体から当該画像データを読み出す手段と、この読み出された画像データを、画像として表示するための映像信号に変換する信号処理手段と、この処理手段で生成された映像信号に基づく画像を表示する表示手段と、前記信号処理手段を制御して前記表示手段で表示されている画像の表示角度を変更する表示制御手段と、前記変更された表示角度を示す角度情報を前記画像データに付加して前記記憶媒体に書き込む書き込み手段と、前記記憶媒体から読み出された画像データに前記角度情報が付加されていた際に、当該画像データに基づく画像の前記表示手段での表示角度を前記角度情報に基づき変更する制御手段と、を具備したことを特徴とする。
【００１７】
また、本発明の静止画像表示装置は、静止画像データが書き込まれた第1の記憶媒体から当該画像データを読み出す手段と、この読み出された画像データを、画像として表示するための映像信号に変換する信号処理手段と、この処理手段で生成された映像信号を表示する表示手段と、前記信号処理手段を制御して前記表示手段で表示されている画像の表示角度を変更する表示制御手段と、前記変更された表示角度を示す角度情報を当該表示角度を変更した画像を特定する情報と対で前記記憶媒体とは異なる第２の記憶媒体に記憶する手段と、前記第２の記憶媒体に記憶されている情報を探知し、前記第1の記憶媒体から読み出された画像データに対応する前記角度情報が前記第２の記憶媒体に記憶されている際に、当該画像データの前記表示手段での表示角度を前記角度情報に基づき変更する制御手段と、を具備したことを特徴とする。
【００１８】
また、本発明の静止画像表示方法は、静止画像データが書き込まれた記憶媒体から当該画像データを読み出すステップと、この読み出された画像データを、画像として表示するための映像信号に変換するステップと、前記生成された映像信号を表示するステップと、前記表示されている画像の表示角度を変更するステップと、前記変更された表示角度を示す角度情報を取得するステップと、取得した角度情報を前記画像データに付加して記憶媒体に書き込むステップと、前記記憶媒体から読み出された画像データに前記角度情報が付加されているか否か判定し、付加されている際に、当該画像データの表示角度を前記角度情報に基づき変更するステップと、を具備したことを特徴とする。
【００１９】
さらに本発明の静止画像表示方法は、静止画像データが書き込まれた記憶媒体から当該画像データを読み出すステップと、この読み出された画像データを、画像として表示するための映像信号に変換するステップと、この生成された映像信号を表示するステップと、表示されている画像の表示角度を変更するステップと、前記変更された表示角度を示す角度情報を取得するステップと、取得した角度情報を当該表示角度を変更した画像を特定する情報と対で前記記憶媒体とは異なる記憶媒体に記憶するステップと、前記記憶媒体に記憶されている画像データを読み出して表示させる際に、前記記憶媒体に記憶されている情報を探知し、前記読み出された画像データに対応する前記角度情報が探知された際に、当該画像データの表示角度を前記角度情報に基づき変更するステップと、を具備したことを特徴とする。
【発明の効果】
【００２０】
本発明によれば、表示させた画像が横になっていた場合、それを回転させて正常な画像とすると共に、回転させたという情報を当該画像と関連付けて記憶させるように構成したので、一度表示させて構図の角度を変更するだけで、以後その画像を表示させる際には、正常な画像として表示させることができるようになるものである。
【発明を実施するための最良の形態】
【００２１】
以下、図面を参照しながら本発明の画像表示装置の実施の形態を詳細に説明する。  
図１は、本発明の画像表示装置の一実施の形態を示す回路ブロック図である。図において、画像表示装置１００は、カードホルダ１０１を備え、このカードホルダ１０１にメモリカード１０２が装着される。
【００２２】
カードホルダ１０１には、読取り／書き込み部１０３が接続され、メモリカード１０２に記憶された画像データ及びその属性データの読み出しと、メモリカード１０２への画像データ及びその属性データの書き込みが行なわれる。属性データの中には、後述する画像角度設定データが含まれる。
【００２３】
読取り／書き込み部１０３には、画像伸張／圧縮部１０４が接続され、ここでメモリカード１０２から読み出された画像データの伸張処理と、メモリカード１０２に書き込む画像データの圧縮処理が実行される。
【００２４】
画像伸張／圧縮部１０４は、信号処理部１０５に接続され、伸張処理された画像データは、ここで画像として表示するための処理が施され画像信号となる。信号処理部１０５で生成された画像信号は表示部１０６に供給されて表示される。信号処理部１０５にはメモリ１０７が接続され、信号処理部１０５はこのメモリ１０７を用いて表示のための画像を構築する。メモリ１０７はフレームメモリあるいはフィールドメモリである。
【００２５】
さらに、信号処理部１０５には、画像角度設定部１０８が接続され、ここで、信号処理部１０５によって構築された表示画像の構図の角度が変更される。例えば、プラス９０度（右方向に９０度）あるいはマイナス９０度（左方向に９０度）の他、１８０度、２７０度等の設定が可能である。
【００２６】
画像角度設定部１０８で設定された角度情報は、データ付加部１０９に導出され、ここで画像伸張／圧縮部１０４からの圧縮画像データに付加されて、読取り／書き込み部１０３を介してメモリカード１０２に書き込まれている同じ画像のデータに上書きされる。
【００２７】
さらに、読取り／書き込み部１０３には、読み出した画像データの属性データを抽出する属性データ分離部１１０が接続され、属性データの中に角度情報が含まれる場合、それを導出し、後述するように表示された画像の表示角度を自動的に変更するために使用される。
【００２８】
メモリカード１０２からの画像データを読み出して表示部１０６で表示させる処理及び、画像角度設定部１０８による表示された画像の角度設定処理等を実行させるために制御部１１１が設けられている。制御部１１１は、画像表示装置１００全体の動作も制御するものであり、例えばマイクロコンピュータと、各種処理プログラムが蓄積された図示しないＲＯＭ（Read Only Memory）とワークエリアとしての図示しないＲＡＭ（Random Access Memory）を備える。
【００２９】
制御部１１１によって、読取り／書き込み部１０３が制御されることでメモリカード１０２に記憶されているデータが読み出され、あるいはデータがメモリカード１０２に書き込まれる。
【００３０】
さらに制御部１１１は、画像伸張／圧縮部１０４を制御して、複数の画像あるいは特定の画像の伸張／圧縮処理を実行させ、さらに信号処理部１０５を制御して、表示部１０６に一度に複数の画像を表示させたり、あるいはそれら画像から選択された一つの画像を表示させるように表示を切換える。
【００３１】
さらに制御部１１１は、画像角度設定部１０８を介して、表示されている画像の角度を調整すると共に、データ付加部１０９を制御して、画像の調整角度に応じたデータを表示角度が調整された圧縮画像データに付加して読取り／書き込み部１０３に送り、メモリカード１０２に上書きさせ、さらに属性データ分離部１１０を制御して、メモリカード１０２から読み出された画像データの属性データを抽出する。
【００３２】
制御部１１１にはさらに、赤外線受光部１１２と操作入力部１１３が接続され、赤外線受光部１１２は、リモートコントローラ１１４からのリモコン信号を受ける。ユーザは、操作入力部１１３を操作したり、あるいはリモートコントローラを操作することで、制御部１１１に制御信号を送り、それによって各部の動作を実行させる。
【００３３】
図２は、図１に示すリモートコントローラ１１４のキー配列の例を示す図である。図２に示すように、リモートコントローラ１１４は、静止画像を表示させるための、静止画表示キー２０１と、静止画像の表示形態を単一表示から複数表示に切換えるための表示切換キー２０２と、表示部１０６に表示されるカーソルを移動させるためのカーソルキー２０３と、カーソルで選択された項目を登録したりあるいは確定させるための決定キー２０４と、表示された画像の構図角度を変更する赤ボタンキー２０５を有する。
【００３４】
さらにリモートコントローラ１１４は、実行している機能を終了させる終了キー２０６と、前の状態に戻す戻るキー２０７を有している。
【００３５】
図１の静止画像表示装置において、静止画を表示させる場合には、ユーザはリモートコントローラ１１４の静止画表示キー２０１を操作する。それによって、制御部１１１が赤外線受光部１１１を介してそのリモートコントロール信号を受けて、読取り／読取り書き込み部１０３を駆動して、メモリカード１０２に書き込まれている画像データの全部あるいは一部を読み出させる。
【００３６】
メモリカード１０２から読み出された画像データは、画像伸張／圧縮部１０４に供給されてここで伸張され、信号処理部１０５に導出される。信号処理部１０５では、メモリ１０７を適宜用いて、表示用の画像データに構築して、これを表示部１０６で表示させる。
【００３７】
図３は、表示部１０６での表示例を示すものであり、画面３０１には、画像Ａ〜Ｉが表示されており、それら画像のうち、Ａ，Ｆ及びＧが縦構図で撮影されたものである。Ａ，Ｆ，Ｇは、左に９０度回転された状態で表示されているが、撮影した際のカメラの構え方によっては逆に右に９０度回転された状態で表示される場合もある。
【００３８】
また、画像Ｆに斜線が付されており、これは画像Ｆにカーソル３０２が位置していることを示している。さらに、画面３０１の下部には、表示画像を回転させるには、赤ボタンの操作が必要であることを示す表示がなされている。なお、各画像Ａ〜Ｉは、それぞれを区別すために便宜上アルファベットを付しているものであり、各アルファベットがそのまま画像として表示されるものではなく、撮影された画像がそれぞれ縮小されて表示されているものである。
【００３９】
図３に示す表示状態において、縦構図として撮影された画像の表示角度を調整して、正常な表示状態に変更する場合には、リモートコントローラ１１４のカーソルキー２０３を操作して、表示角度を調整したい画像に位置させた後、リモートコントローラ１１４の赤ボタンキー２０５を操作する。
【００４０】
制御部１１１は、リモートコントローラ１１４からの信号を受けて、画像角度設定部１０８を駆動し、それによって対象である画像の角度を調整するように信号処理部１０５を制御する。
【００４１】
表示角度はリモートコントローラ１１４の赤ボタン２０５を操作する回数で特定することが可能であり、例えば、操作する毎に右方向に９０度づつ変更するように構成することが可能である。
【００４２】
例えば図３の画面３０１のＦにカーソル３０２が位置していたときに、リモートコントローラ１１４の赤ボタン２０５を１回操作することで、図４に示すように、その画面４０１の画像Ｆを９０度回転させて、画像の上下方向が立った正しい画像表示とさせることが可能となる。
【００４３】
図４に示す状態から、例えばカーソル４０２をＧの画像に移動させる等、画像Ｆの処理を終了させると、制御部１１１はそれを受けて、それまで画像角度設定部１０８で画像Ｆに対して表示角度を設定していた画像角度設定データを、データ付加部１０９に送る。
【００４４】
一方、画像伸張／圧縮部１０４から圧縮された画像Ｆのデータを導出させて、データ付加部１０９に送り、データ付加部１０９で、画像Ｆのデータに画像角度設定部１０８からの画像角度設定データを付加して、読取り／書き込み部１０３に送り、メモリカード１０２の画像Ｆのデータに上書きさせる。
【００４５】
以上のようにして、属性データとして画像角度設定データが書き込まれた画像は、それがメモリカード１０２から読み出されて、表示される際にその表示角度が、画像角度設定データに基づいて自動的に変更されて正しい角度で表示されるようになる。
【００４６】
すなわち、ユーザがリモートコントローラ１１４の静止画表示キー３０１を操作すると、制御部１１１は、読取り／書き込み部１０３を駆動してメモリカード１０２からデータを読み出して、画像伸張／圧縮部１０４に導出させるが、同時に属性データ分離部１１０を制御して、属性データに画像角度設定データが含まれていた場合これを取り込む処理を行なう。
【００４７】
制御部１１１は、取り込んだ画像角度設定データを画像角度設定部１０８に送出して、そのデータを画像角度設定部１０８に登録させる。その結果、信号処理部１０５で対応する画像の表示角度が、画像角度設定部１０８に登録されたデータに基づいて変更されるようになり、正常な表示角度で表示されるようになるものである。
【００４８】
表示部１０６に表示される画像は、図３及び４に示す複数表示形態から単独表示に切換えることが可能である。
【００４９】
例えば、図３に示すようにカーソル３０２が画像Ｆに位置しているとした場合、ユーザがリモートコントローラ１１４の決定キー２０４を操作すると、図５に示すように、画面５０１には画像Ｆのみが表示される。
【００５０】
この状態においても、画面５０１の下方には、表示画像を回転させるための操作手順が表示されており、リモートコントローラ１１４の赤ボタン２０５を操作することで、表示画像の角度を変更することが可能となる。すなわち、赤ボタン２０５を一度操作すると、制御部１１１は画像角度設定部１０８に対して、表示画像角度をプラス９０度変更させるデータを送り、それを登録させて、表示画像の角度を変更する。その結果、図６に示すように、画像Ｆが正常な構図で画面６０１に表示されるようになる。
【００５１】
なお、静止画像の表示を終了させる場合には、リモートコントローラ１１４の終了キー２０６を操作する。それによって、複数画像表示か、単独画像表示か、あるいは表示角度が変更されているか否かに関わりなく、静止画表示を終了させることが可能である。終了キー２０６が操作された時点で表示角度が変更されている場合には、その画像データと角度情報がメモリカード１０２に上書きされる。
【００５２】
さらに、単独画像を表示している状態から、複数画像表示形態に切換えるには、リモートコントローラ１１４の表示切換えキー２０２を操作すればよい。あるいは、戻るキー２０７を操作して、順次前の表示状態に戻すことも可能である。それらのキーを操作した時点で表示角度が変更されている場合には、その画像データと角度情報がメモリカード１０２に上書きされる。
【００５３】
図７は、以上説明した図１に示す画像表示装置１００の動作を改めて説明するためのフローチャートである。  
図７において、ステップＳ７０１で開始され、ステップＳ７０２でメモリカードをホルダに装着する。次いで、ステップＳ７０３でメモリカード１０２に記憶されている画像データとその属性データを読み出して、属性データに含まれる角度情報に基づく表示角度でサムネイルリスト表示を行なう。
【００５４】
次にステップＳ７０４で所望画像を選択し、次いでステップＳ７０５で選択された画像の単独表示要求があったか否かの判定がなされ、要求があった場合には、ステップＳ７０６で選択された画像の単独表示に切換える。
【００５５】
単独表示の要求の有無に関わらず、次いでステップＳ７０７に移って、構図変更指示入力があったか否かの判定がなされ、変更指示入力があった場合には、ステップＳ７０８で表示画像の角度を変更し、かつ変更した角度を示す角度情報を取得する。
【００５６】
次に、ステップＳ７０９で表示終了指示入力があったか否かの判定がなされ、表示終了入力があった場合には、ステップＳ７１０で画像データに角度情報を付加してメモリカードに上書きし、ステップＳ７１１で表示を終了して、ステップＳ７１２で処理を終了する。
【００５７】
ステップＳ７０７で、構図変更指示入力がなかったと判定された場合には、ステップＳ７１３で表示終了指示入力があったか否かの判定がなされ、あった場合には、ステップＳ７１１で表示を終了して処理を終わらせる。
【００５８】
ステップＳ７１３で表示指示入力がないと判定された場合には、ステップＳ７１４で他の画像表示要求があったか否かの判定がなされ、あった場合には、ステップＳ７０３に戻り、ない場合はステップＳ７１３に戻る。
【００５９】
さらにステップＳ７０９で表示終了指示入力がなかったと判定された場合には、ステップＳ７１５で他の画像表示要求があったか否かの判定がなされ、ない場合にはステップＳ７０９に戻り、あった場合にはステップＳ７１６で画像データに角度情報を付加してメモリカードに上書きし、ステップＳ７０３に戻る。
【００６０】
以上説明したように、図１に示す実施の形態によれば、メモリカードから読み出して表示された画像の表示角度が適切でない場合、表示角度を変えて正しい表示状態に変更すると共に、その変えた表示角度を示す角度情報を、画像データに付加して、メモリカードに上書きし、以降その画像を表示させる場合には、記憶した角度情報に基づいて表示角度を変更するように構成したので、画像が自動的に正しい角度で表示されるようになるものである。
【００６１】
なお、以上説明した実施の形態では、角度情報をメモリカードに書き込むようにしたが、メモリカードに画像データを書き込む際には、その画像のタイトル、書き込んだ日時（撮影日時）を示すいわゆる属性データも一緒に書き込まれるものであり、その属性データで画像を特定できるので、角度情報は、メモリカードではなく、他の記憶媒体に属性データと共に書き込んでおくように構成することもできる。
【００６２】
すなわち、画像を表示させる際に、メモリカードからその画像の属性データを読み出すと共に、記憶媒体から属性データと角度情報を読み出し、両属性データを比較して、属性データが同一である場合に、角度情報が表示される画像のものであるとして、その表示角度を変更するように構成するものである。
【００６３】
図８は、本発明の静止画像表示装置の他の実施の形態示す回路ブロック図である。図８において、図１に示す構成部分と同一箇所に同一符号を付して詳細な説明は省略する。
【００６４】
図８に示す静止画像表示装置８００は、図１に示す装置１００に比べて、角度情報を保存するメモリ８０１が新たに加わり、データ付加部１０９が削除されている点が異なる。
【００６５】
図８の実施の形態においても、リモートコントローラ１１４を操作することで静止画像を表示させ、かつその表示角度を変更することが可能である。すなわち、図３に示す画面３０１から、図４の画面４０１あるいは、図５及び図６の画面５０１，６０１に示すような過程で、表示切換え及び表示画像の角度変更が実行されるものである。
【００６６】
静止画像の表示を終了させる場合、あるいは他の画像の選択または表示を実行させる場合に、それまで表示されていた画像の表示角度が変更されていたら、その角度情報を対応する画像の属性データと対にしてメモリ８０１に記憶させる。
【００６７】
表示されている画像の属性データは、属性データ分離部１１０で分離して制御部１１１が取り込んでおり、制御部１１１は、静止画像の表示を終了させるタイミング、あるいは他の画像の選択または表示を実行させるタイミングで、画像角度設定部１０８の角度情報と取り込んだ属性データを組合わせて、メモリ８０１に書き込む処理を実行するものである。
【００６８】
メモリカード１０２から読み出された画像を表示する際に、制御部１１１が、メモリ８０１に書き込まれている属性データを読み出して、属性データ分離部１１０で分離された属性データと比較し、属性データが一致したら、その属性データと対でメモリ８０１に記憶されている角度情報を画像角度設定部１０８に送出して登録し、それによって表示画像の角度を変更するものである。
【００６９】
なお、角度情報は、例えばデジタルカメラ用画像ファイルフォーマット規格Ｅｘｉｆに則った属性データとして扱うことが可能である。
【００７０】
図９は、図８に示す装置の動作を改めて説明するためのフローチャートである。図９において、ステップＳ９０１で開始され、ステップＳ９０２でメモリカードをホルダに装着する。
【００７１】
次いでステップＳ９０３で、メモリカード１０２に記憶されている画像データとその属性データを読み出し、さらにステップＳ９０４で、メモリ８０１に記憶されている画像属性データと角度情報を読み出す。
【００７２】
次にステップＳ９０５でメモリカード１０２の属性データとメモリ８０１の属性データを比較し、属性データに一致が見られた場合には、対応するメモリカード１０２から読み出された画像について、メモリ８０１の角度情報に基づく角度で表示角度を変更し、属性データに一致が見られない画像についてはそのままの角度でサムネイルリストとして画像表示させる。
【００７３】
次いで、ステップＳ９０６で所望画像を選択し、ステップＳ９０７で単独表示の要求があったか否かの判定がなされ、要求があった場合には、ステップＳ９０８で選択された画像を単独表示させる。
【００７４】
次に、単独表示の要求の有無に関わりなく、ステップＳ９０９で構図変更指示入力があったか否かの判定がなされ、あった場合には、ステップＳ９１０で表示画像の角度を変更すると共に、角度情報を取得する。
【００７５】
次に、ステップＳ９１１で表示終了指示入力があったか否かの判定がなされ、表示終了入力があった場合には、ステップＳ９１２で、表示角度が変更された画像と同じ属性データと対でメモリ８０１に記憶されている角度情報を更新し、ステップＳ９１３で表示を終了して、ステップＳ９１４で処理を終了する。
【００７６】
ステップＳ９０９で、構図変更指示入力がなかったと判定された場合には、ステップＳ９１５で表示終了指示入力があったか否かの判定がなされ、あった場合には、ステップＳ９１３で表示を終了して処理を終わらせる。
【００７７】
ステップＳ９１５で表示指示入力がない場合には、ステップＳ９１６で他の画像表示要求があったか否かの判定がなされ、あった場合には、ステップＳ９０３に戻り、ない場合はステップＳ９１５に戻る。
【００７８】
さらにステップＳ９１１で表示終了指示入力がなかったと判定された場合には、ステップＳ９１７で他の画像表示要求があったか否かの判定がなされ、ない場合にはステップＳ９１１に戻り、あった場合にはステップＳ９１８で表示角度が変更された画像と同じ属性データと対でメモリ８０１に記憶されている角度情報を更新し、ステップＳ９０３に戻る。
【００７９】
図８に示す実施の形態においては、角度情報をメモリカード１０２に書き込まないので、メモリカード１０２の記憶容量を有効活用することができる。
【００８０】
以上のように本発明の静止画像表示装置によれば、メモリカードから画像データを読み出して表示させた際に、表示構図が適正でないと判断される場合に、表示角度を変更すると共に、その角度情報を記憶しておき、それ以降その画像を表示させる際には、角度情報に基づいて表示角度を自動的に変更できるようになるため、適正な画像表示を行なうことができるものである。
【図面の簡単な説明】
【００８１】
【図１】本発明に係る静止画表示装置の一実施の形態を示す回路ブロック図。
【図２】図１の装置に適用されるリモートコントローラのキー配置の一例を示す図。
【図３】図１装置による静止画像の表示例を示す図。
【図４】図３の表示例で選択された画像の表示角度を変更した状態を示す。
【図５】図３の表示例で選択された画像の単独表示状態を示す図。
【図６】図５の表示画像の表示角度を変更した状態を示す図。
【図７】図１の装置の動作を説明するためのフローチャート。
【図８】本発明に係る静止画表示装置の他の実施の形態を示す回路ブロック図。
【図９】図９の装置の動作を説明するためのフローチャート。
【図１０】一般的なデジタルスチルカメラの構成を説明するためのブロック図。
【図１１】図１０に示すカメラの動作を説明するための図。
【符号の説明】
【００８２】
１００，８００…静止画像表示装置
１０１…カードホルダ
１０２…メモリカード
１０３…読取り／書き込み部
１０４…画像伸張／圧縮部
１０５…信号処理部
１０６…表示部
１０７…メモリ
１０８…画像角度設定部
１０９…データ付加部
１１０…属性データ分離部
１１１…制御部
１１２…赤外線受光部
１１３…操作入力部
１１４…リモートコントローラ
８０１…メモリ
【図１】
2005241987.tif 000003
【図２】
2005241987.tif 000004
【図３】
2005241987.tif 000005
【図４】
2005241987.tif 000006
【図５】
2005241987.tif 000007
【図６】
2005241987.tif 000008
【図７】
2005241987.tif 000009
【図８】
2005241987.tif 000010
【図９】
2005241987.tif 000011
【図１０】
2005241987.tif 000012
【図１１】
2005241987.tif 000013